(57)【要約】手摺用連結部材を簡易な構成とし、低コスト且つ施工方法を容易にするとともに、充分な連結力と安定性とを発揮させる。【課題】【解決手段】  棒状の手摺端部２ａと筒状の手摺端部３ａとを連結させるために用いられる手摺用連結部材１の、前記棒状の手摺端部２ａの接続端面２ｂに取り付けられる基板１０の外周縁より弾発片１２を延設するとともに、前記弾発片１２は連結部１３の先端に弾発部１４を有し、前記基板１０を前記棒状の手摺端部２ａの前記接続端面２ｂに取り付けたとき、前記弾発片１０の前記弾発部１４を、前記棒状の手摺端部２ａの前記接続端面２ｂの外周縁から突出するようにした。【選択図】      図５
2005126899.tif 000002
【特許請求の範囲】
【請求項１】
棒状の手摺端部と筒状の手摺端部とを連結させるために用いられる手摺用連結部材であって、前記棒状の手摺端部の接続端面に取り付けられる基板の外周縁より弾発片が延設されているとともに、前記弾発片は連結部の先端に弾発部を有し、前記基板を前記棒状の手摺端部の前記接続端面に取り付けたとき、前記弾発片の前記弾発部が、前記棒状の手摺端部の前記接続端面の外周縁から突出することを特徴とする手摺用連結部材。
【発明の詳細な説明】
【技術分野】
【０００１】
本発明は、階段や廊下等に配置される手摺の端部同士を連結させるための手摺用連結部材に関するものである。
【背景技術】
【０００２】
手摺の端部同士を連結させる方法としては、一方の手摺端面に雄ネジを有する部材を装着し、他方の手摺端面に雌ネジを有する締結リングを回動自在に装着して、雌ネジに雄ネジを螺合させることにより両手摺端部同士を連結させる方法が一般的である。
【０００３】
しかしながら、雄ネジならびに雌ネジを用いた連結部材では、連結部が手摺の軸線方向に沿う一対のネジを用いるだけで連結されたものであるため、充分な連結力が得られず安定性に欠けるという問題点がある。
【０００４】
また、一方の手摺端部には雄継手を固定し、他方の手摺端部には回動自在に設けたホルダーに雌継手を固定し、雄継手の軸部を雌継手に挿入する際に、雌継手の軸部受け穴内の突起を軸部の円弧溝に係合させるとともに、雌継手の外周から止めネジを用いて軸部の他の円弧溝に係合させた手摺継手具が、特開２０００−５４５８５号公報に提示されている。
【０００５】
前記公開公報に提示されている手摺継手具は、突起および止めネジの二点で雌継手と雄継手とを係止しているので強固な連結力が得られるものである。しかしながら、連結部分が極めて小さな部材による浅い連結状態であるために、外力に対する強固さは不充分であり、連結部分に負荷がかかった場合、係止部分が脱落する可能性がある。また、前記手摺継手具を構成する各部材の形状が複雑であるために、微細な加工が必要となり製作費用が高くなってしまう、という問題点がある。
【特許文献１】特開２０００−５４５８５号公報
【発明の開示】
【発明が解決しようとする課題】
【０００６】
本発明は、前記公報に記載された発明が有する問題点を解決するためになされたものであり、手摺用連結部材を簡易な構成とし、低コスト且つ施工方法を容易にするとともに、充分な連結力と安定性とを有する手摺用連結部材を提供することを目的としている。
【課題を解決するための手段】
【０００７】
本発明は、前述の課題を解決するために、棒状の手摺端部と筒状の手摺端部とを連結させるために用いられる手摺用連結部材の、前記棒状の手摺端部の接続端面に取り付けられる基板の外周縁より弾発片を延設するとともに、前記弾発片は連結部の先端に弾発部を有し、前記基板を前記棒状の手摺端部の前記接続端面に取り付けたとき、前記弾発片の前記弾発部を、前記棒状の手摺端部の前記接続端面の外周縁から突出するようにした。
【発明の効果】
【０００８】
本発明の手摺用連結部材は、基板の外周縁より弾発片が延設されているだけの簡易な構成なので、安価に製造することが可能となった。
【０００９】
また、本発明の手摺用連結部材は、基板を棒状の手摺端部の接合端面に係止し、手摺用連結部材が係止されている棒状の手摺端部を、筒状の手摺端部へ挿入するだけで棒状の手摺端部と筒状の手摺端部とを連結させることが可能であり、容易且つ僅かな労力で施工することが可能になるとともに、簡易な構成で充分な連結力と安定性とを発揮させることが可能となった。
【発明を実施するための最良の形態】
【００１０】
次に、図面を参照して本発明を実施するための最良の形態について説明する。図１は、本発明の好ましい実施の形態の一例を示すものであり、手摺用連結部材１の平面図である。
【００１１】
手摺用連結部材１は、ネジ孔１１，１１を有する面取り正方形状の基板１０と、前記基板１０の四隅より延設された４個の弾発片１２とから構成されており、基板１０と前記弾発片１２とは、可塑性ならびに弾性を有する合成樹脂により一体に形成されている。
【００１２】
尚、弾発片１２は、基板１０の四隅から延設される連結部１３と、前記連結部１３の先端両側に基板１０の外周面に沿う弓状の弾発部１４，１４が設けられている。
【００１３】
次に、以上の構成からなる手摺用連結部材１を用いて、棒状の手摺端部２ａと筒状の手摺端部３ａとを連結させる方法について説明する。
【００１４】
先ず始めに、基板１０を棒状の手摺端部２ａの接続端面２ｂの中心に当て、基板１０に形成されているネジ孔１１，１１に取付ネジＡ，Ａをはめ込み、ドライバー等の器具により前記取付ネジＡ，Ａをネジ止めすることにより、手摺用連結部材１を前記接続端面２ｂに係止する。
【００１５】
このとき、図２ａに示すように、弾発片１２の弾発部１４の一部は接続端面２ｂの外周縁から突出している。
【００１６】
次に、棒状の手摺端部２ａと筒状の手摺端部３ａとを連結させるために、手摺用連結部材１が係止されている棒状の手摺端部２ａを、前記筒状の手摺端部３ａの基端部に形成されている空所３ｂに挿入する。
【００１７】
ここで、弾発部１４の一部は、棒状の手摺端部２ａの接続端面２ｂの外周縁から突出しているので、これを筒状の手摺端部３ａの基端部に形成されている前記空所３ｂへ挿入したとき、空所３ｂの内周面３ｃと弾発部１４とが接触し、前記内周面３ｃにより弾発部１４が内方向に押され、これにより弾発部１４に外方向への弾発力が生じ、前記弾発力により棒状の手摺端部２ａは空所３ｂに強固に固定され、棒状の手摺端部２ａと筒状の手摺端部３ａとが連結される（図２ｂ）。
【００１８】
従って、手摺用連結部材１が係止されている棒状の手摺端部２ａを、筒状の手摺端部３ａの基端部に形成されている空所３ｂへ挿入するだけで、棒状の手摺端部２ａと筒状の手摺端部３ａとを連結させることが可能となり、容易且つ僅かな労力で施工可能となるとともに、簡易な構成で充分な連結力と安定性とを発揮させることができる。
【００１９】
図３は、本発明の異なる使用例を示すものであり、棒状の手摺端部２ａ，２ａ同士を継手４ａを介して直線的に連結させる場合の説明図である。
【００２０】
はじめに、手摺用連結部材１，１を、前述した方法により双方の棒状の手摺端部２ａ，２ａの接続端面２ｂ，２ｂに係止し、これらを前記継手４ａの両端部に形成された空所４ｂ，４ｂへ挿入することにより、棒状の手摺端部２ａ，２ａは継手４ａを介して直線的に連結される。
【００２１】
図４は、本発明のさらに異なる使用例を示すものであり、棒状の手摺端部２ａ，２ａ同士を連結具５ａと受け連結具６ａとを介して曲線的に連結させる場合の説明図である。
【００２２】
はじめに、手摺用連結部材１，１を、前述と同様の方法により双方の棒状の手摺端部２ａ，２ａの接続端面２ｂ，２ｂに係止し、これらのうち一方を前記連結具５ａの基端部に形成された空所５ｂへ挿入し、他方を前記受け連結具６ａの基端部に形成された空所６ｂへ挿入することにより、棒状の手摺端部２ａ，２ａは連結具５ａと受け連結具６ａとを介して曲線的に連結される。
【００２３】
尚、連結具５ａの先端部には、受け連結具６ａに挿入される半球状凸部５ｃが形成されており、前記半球状凸部５ｃは内部が空洞であるとともに、前記空洞部には連結具５ａの先端部の外周面に沿った円弧状の溝５ｄが設けられている。
【００２４】
さらに、受け連結具６ａの先端部には、連結具５ａの半球状凸部５ｃを収容する開口部６ｃが形成されているとともに、半球状凸部５ｃの曲面を覆って把持する受部６ｄが設けられており、前記開口部６ｃは、受け連結具６ａの中心軸上の直角な面に対して約４５°の面により切り裂かれた形状であるとともに内部の空洞部が露出している。また、前記空洞部の底には、連結具５ａを停止させるストッパー部６ｅが設けられており、前記ストッパー部６ｅには、前記受部６ｄが最も低くなる開口部６ｃ付近に係合部材６ｆが設けられている。
【００２５】
前記係合部材６ｆは、薄板状の基体６ｇと前記薄板状の基体６ｇの先端付近をを直角に貫通している係止棒６ｈとからなり、これらを連結具５ａの溝５ｄを経由して空洞部に挿通すると、係止棒６ｈが半球状凸部５ｃの内壁に係止され、係合部材６ｆにより、連結具５ａと受け連結具６ａとは約９０°の範囲で角度が可変となる。
【００２６】
従って、本実施例により、階段や廊下の曲がり角に配置される手摺りを任意の角度で屈曲して連結することが可能となり、従来の階段や廊下の曲がり角に配置される手摺りのように、階段や廊下のコーナー角度に合わせた屈曲部用継ぎ手を２つの直線状手摺りの間に設けて連結する必要がなく、簡易な構成により階段や廊下の角部に対応した様々な屈曲角度で手摺りを連結させることが可能となった。
【００２７】
図５は、本発明の手摺用連結部材１の異なる実施の形態を示すものであり、手摺用連結部材１の中心部に一つのネジ孔１１が形成されている。ここで、ネジ孔１１を一つとしたことにより、手摺用連結部材１の接続端面２ｂへの取付作業が容易となるとともに、取付ネジＡが一つで済むという利点がある。尚、ネジ孔１１以外の手摺用連結部材１の各部材は前述の通りである。
【００２８】
尚、本発明においては、手摺用連結部材１を取付ネジＡにより接続端面２ｂに係止したが、手摺用連結部材１ならびに取付ネジＡは外面に露出していないので手摺全体の美観が損なわれることはない。また、接着剤等により棒状の手摺端部２ａの接続端面２ｂに係止してもよい。
【図面の簡単な説明】
【００２９】
【図１】本発明の好ましい実施の形態を示す平面図である。
【図２】図１に示した実施の形態における使用状態を示す説明図である。
【図３】図１に示した実施の形態における異なる使用例の説明図である。
【図４】図１に示した実施の形態におけるさらに異なる使用例の説明図である。
【図５】本発明についての異なる実施の形態を示す平面図である。
【符号の説明】
【００３０】
１  手摺用連結部材、  ２ａ  手摺端部、  ２ｂ  接合端面、  ３ａ  手摺端部、  ３ｂ  空所、  ３ｃ  内周面、  ４ａ  継手、  ５ａ  連結具、  ５ｃ  半球状凸部、  ６ａ  受け連結具、  ６ｃ  開口部、  ６ｄ  受部、  ６ｆ  係合部材、  ６ｈ  係止棒、  １０  基板、  １１  ネジ孔、  １２  弾発片  １３  連結部、  １４  弾発部
【図１】
2005126899.tif 000003
【図２】
2005126899.tif 000004
【図３】
2005126899.tif 000005
【図４】
2005126899.tif 000006
【図５】
2005126899.tif 000007